(57)【要約】【課題】メモリカードの検出不具合の発生を抑制することができる電子機器を提供する。【解決手段】本発明の一態様にかかる電子機器１は、メモリカードを挿入するスロット１４と、メモリカードの挿入により接触する端子と、を有するカードリーダ１２が取り付けられた本体部１０と、スロット１４が位置する本体部１０の前面１１に対して可動なパネル２０と、パネル２０に設けられた接触部と、を備え、接触部は、パネル２０の動きにより、スロット１４に挿入されたメモリカードのスロット１４から突出した部分に接触し、メモリカードを摺動させ、メモリカードの摺動により、端子を摺動させる。【選択図】図９
2019067643.tif 000002
【特許請求の範囲】
【請求項１】
メモリカードを挿入するスロットと、前記メモリカードの挿入により接触する端子と、を有するカードリーダが取り付けられた本体部と、
前記スロットが位置する前記本体部の前面に対して可動なパネルと、
前記パネルに設けられた接触部と、
を備え、
前記接触部は、前記パネルの動きにより、前記スロットに挿入された前記メモリカードの前記スロットから突出した部分に接触し、前記メモリカードを摺動させ、
前記メモリカードの摺動により、前記端子を摺動させる、
電子機器。
【請求項２】
前記本体部は、前記端子の接触により、前記メモリカードの挿入を検出する検出部を有し、
前記検出部は、前記パネルの動きがある場合には、前記メモリカードの挿入の検出を停止する、
請求項１に記載の電子機器。
【請求項３】
前記パネルは、前記前面に対して、チルト動作を行う、
請求項１または２に記載の電子機器。
【請求項４】
前記パネルは、前記前面に対して、スライド動作を行う、
請求項１または２に記載の電子機器。
【請求項５】
前記端子は、前記カードリーダに形成された第１検出端子と、前記第１検出端子と間隔を空けて前記カードリーダに形成され、前記メモリカードの挿入により、前記第１検出端子と接触する第２検出端子と、を含む、
請求項１〜４のいずれか一項に記載の電子機器。
【請求項６】
前記端子は、前記メモリカードの端部に形成された第１接点端子と、前記カードリーダに形成され、前記メモリカードの挿入により、前記第１接点端子と接触する第２接点端子と、を含む、
請求項１〜４のいずれか一項に記載の電子機器。
【請求項７】
前記接触部は、複数設けられた突起部である、
請求項１〜６のいずれか一項に記載の電子機器。
【請求項８】
前記本体部は、前記端子の接触により、前記メモリカードの挿入を検出する検出部を有し、
前記本体部は、起動時に、前記端子の接触部分の電気抵抗を低下させる電流を前記端子に流し、
前記検出部は、前記電流が流れている場合には、前記メモリカードの挿入の検出を停止する、
請求項１〜７のいずれか一項に記載の電子機器。
【請求項９】
メモリカードを挿入するスロットと、前記メモリカードの挿入により接触する端子と、を有するカードリーダが取り付けられた本体部と、
前記スロットが位置する前記本体部の前面に配置されたパネルと、
を備え、
前記本体部は、前記端子の接触により、前記メモリカードの挿入を検出する検出部を有し、
前記本体部は、起動時に、前記端子の接触部分の電気抵抗を低下させる電流を前記端子に流し、
前記検出部は、前記電流が流れている場合には、前記メモリカードの挿入の検出を停止する、
電子機器。
【発明の詳細な説明】
【技術分野】
【０００１】
本発明は、電子機器に関し、例えば、ＳＤカード等のメモリカードを挿入し、メモリカードに記録された地図情報及び音楽、動画、静止画等のデータ情報等を利用するカーナビゲーション等を含む電子機器に関する。
【背景技術】
【０００２】
カーナビゲーション及びカーオーディオ等の車載機器を含む電子機器において、地図情報及び音楽、動画、静止画等のデータ情報等が記録されたＳＤカードを利用する際には、電子機器に取り付けられたＳＤカードリーダのスロットにＳＤカードを挿入する。ＳＤカードリーダは、内部にＳＤカードの挿入を検出する検出端子を有している。例えば、検出端子は、間隔を空けて配置された第１検出端子及び第２検出端子を有している。そして、ＳＤカードが挿入された場合に、第１検出端子及び第２検出端子は、相互に接触する。第１検出端子及び第２検出端子間の導通を得ることにより、ＳＤカードの挿入を検出する。
【先行技術文献】
【特許文献】
【０００３】
【特許文献１】実開平０６−０４３９５５号公報
【発明の概要】
【発明が解決しようとする課題】
【０００４】
特許文献１には、端子の表面に形成された絶縁膜等によって、端子に接触不良が発生し、端子が接触しているにもかかわらず、導通を得られないことが記載されている。ＳＤカードを利用する電子機器においても、ＳＤカードが挿入された場合に、第１検出端子及び第２検出端子が接触しているにもかかわらず、導通が得られずに、ＳＤカードの挿入を検出できないことが考えられる。例えば、検出端子の表面に薄い絶縁膜が形成されたために、導通が得られない場合が考えられる。薄い絶縁膜とは、例えば、酸化皮膜、フラックス、メッキ用の封孔剤の残渣等が挙げられる。
【０００５】
本発明は、上記問題に鑑み、メモリカードの検出不具合の発生を抑制することができる電子機器を提供することを目的とする。
【課題を解決するための手段】
【０００６】
そこで、本発明は、メモリカードを挿入するスロットと、前記メモリカードの挿入により接触する端子と、を有するカードリーダが取り付けられた本体部と、前記スロットが位置する前記本体部の前面に対して可動なパネルと、前記パネルに設けられた接触部と、を備え、前記接触部は、前記パネルの動きにより、前記スロットに挿入された前記メモリカードの前記スロットから突出した部分に接触し、前記メモリカードを摺動させ、前記メモリカードの摺動により、前記端子を摺動させる電子機器を提供する。
【発明の効果】
【０００７】
本発明により、メモリカードの検出不具合の発生を抑制することができる電子機器を提供する。
【図面の簡単な説明】
【０００８】
【図１】実施形態１に係る電子機器を例示した斜視図であり、パネルが本体部の前面を覆っている状態を示す。
【図２】実施形態１に係る電子機器を例示した斜視図であり、パネルが本体部の前面に対してチルト動作した状態を示す。
【図３】実施形態１の別の例に係る電子機器を例示した斜視図であり、パネルが、本体部の前面に対してスライド動作した状態を示している。
【図４】実施形態１に係る電子機器のカードリーダを例示した斜視図である。
【図５】実施形態１に係る電子機器のカードリーダを例示した断面図である。
【図６】実施形態１に係る電子機器のカードリーダにおける第１検出端子及び第２検出端子の動作を例示した上面図である。
【図７】実施形態１に係る電子機器のカードリーダにおける第１検出端子及び第２検出端子の動作を例示した上面図である。
【図８】実施形態１に係る電子機器の第１検出端子及び第２検出端子を例示した断面図である。
【図９】実施形態１に係る電子機器のパネルに設けられた接触部を例示した断面図である。
【図１０】実施形態１の別の例に係る電子機器のパネルに設けられた接触部を例示した断面図である。
【図１１】実施形態１に係る電子機器のパネルの動きがある場合のＳＤカードの検出処理を例示したフローチャート図である。
【図１２】実施形態１の変形例に係る電子機器のカードリーダを例示した断面図である。
【図１３】実施形態１の変形例に係る電子機器のカードリーダに挿入されるＳＤカードを例示した斜視図である。
【図１４】実施形態２に係る電子機器において、ＳＤカードの挿入を検出する端子に電流を流して導通を向上させる方法を例示した説明図である。
【図１５】実施形態２に係る電子機器の起動時におけるＳＤカードの検出処理を例示したフローチャート図である。
【発明を実施するための形態】
【０００９】
（実施形態１）
以下、図面を参照して実施形態１に係る電子機器を説明する。図１及び図２は、実施形態１に係る電子機器を例示した斜視図である。図１及び図２に示すように、電子機器１は、本体部１０と、パネル２０と、を備えている。図１は、パネル２０が本体部１０の前面１１を覆っている状態を示している。図２は、パネル２０が、本体部１０の前面１１に対してチルト動作した状態を示している。
【００１０】
本体部１０は、例えば、直方体状である。本体部１０の前面１１は、平面状である。本体部１０の前面１１に対して、パネル２０は、チルト動作する。なお、本体部１０の形状は、直方体状に限らない。本体部１０は、前面１１において、パネル２０がチルト動作できるように可動であれば、他の形状でもよい。また、パネルの動きは、チルト動作に限らない。
【００１１】
図３は、実施形態１の別の例に係る電子機器１ａを例示した斜視図であり、パネル２０が、本体部１０の前面１１に対してスライド動作した状態を示している。図３に示すように、パネル２０の動きは、スライド動作でもよい。
【００１２】
本体部１０には、ＳＤカード等のメモリカードを利用するためのカードリーダ１２、ＣＤ等のディスク媒体を利用するためのディスクドライバ１３が取り付けられている。これにより、電子機器１は、メモリカード及びディスク媒体に記録された情報を利用するとともに、場合によっては、メモリカード及びディスク媒体に情報を記録する。このように、カードリーダ１２及びディスクドライバ１３は、情報の読込及び書込を行う。なお、以下では、メモリカードとして、ＳＤカードを例として説明する。なお、メモリカードは、ＳＤカードに限らない。例えば、メモリカードは、デジタル放送で用いられているＢ−ＣＡＳカードでもよい。
【００１３】
本体部１０の前面１１には、ＳＤカードを挿入するスロット１４が形成されている。また、本体部１０の前面１１には、ディスク媒体を載置するトレイの挿入口１５が形成されてもよい。
【００１４】
パネル２０は、例えば、主面２１及び裏面２２を有する板状をしている。パネル２０の主面２１には、例えば、表示部２３及び操作部２４が形成されている。表示部２３は、地図及び映像等を表示する画面を有している。パネル２０の主面２１における表示部２３に隣り合うように操作部２４が形成されている。操作部２４は、例えば、スイッチ、音量調整部等を含んでいる。パネル２０は、裏面２２を本体部１０側に向けるようにして、本体部１０の前面１１に配置されている。パネル２０は、本体部１０の前面１１に形成されたスロット１４を覆うように配置されている。
【００１５】
パネル２０は、スロット１４が位置する本体部１０の前面１１に対して可動である。例えば、パネル２０は、前面１１に対して、チルト動作を行うことができる。チルト動作とは、前面１１に平行な面における一方向を軸として、パネル２０を傾けることをいう。例えば、水平方向を軸として、パネル２０を上下に傾けることをいう。
【００１６】
また、パネル２０は、前面１１に対して、スライド動作を行うことができてもよい。スライド動作とは、前面１１に平行な面における一方向に、パネル２０を平行移動させることをいう。例えば、鉛直方向に、パネル２０を平行移動させることをいう。
【００１７】
利用者は、スロット１４に対するメモリカードの挿入及び抜去、挿入口１５に対するディスク媒体の挿入及び抜去時にパネル２０のチルト動作等を行う。また、利用者は、パネル２０の表示部２３を見やすい角度にする場合に、パネル２０のチルト動作等を行う。さらに、電子機器１のＯＮ・ＯＦＦ時に、本体部１０の前面１１にパネル２０が戻るように設定された場合に、パネル２０のチルト動作等が行われる。
【００１８】
図４は、実施形態１に係る電子機器１のカードリーダ１２を例示した斜視図である。図５は、実施形態１に係る電子機器１のカードリーダ１２を例示した断面図である。図４及び図５に示すように、カードリーダ１２は、ＳＤカード４０を挿入するスロット１４と、ＳＤカード４０を収納する収納部１６と、ＳＤカード４０の挿入により接触する端子と、を有している。また、本体部１０は、端子の接触により、ＳＤカード４０の挿入を検出する検出部１７を有している。
【００１９】
端子は、例えば、カードリーダ１２に形成された第１検出端子１８及び第２検出端子１９を含んでいる。第１検出端子１８及び第２検出端子１９は、カードリーダ１２の収納部１６の内部に配置されている。例えば、第１検出端子１８は、収納部１６の内部の側面に沿って延在した金属板を含んでいる。第１検出端子１８の端部は、内側にＶ字状に曲がっている。ＳＤカード４０を挿入すると、ＳＤカード４０の角部は、第１検出端子１８のＶ字状の部分を外側に押し曲げるようになっている。
【００２０】
第２検出端子１９は、カードリーダ１２の収納部１６の内部の側面と、内部の奥側の面との角部にＬ字状に配置されている。そして、ＳＤカード４０が挿入されると、第１検出端子１８のＶ字状の部分は、外側に押し曲げられ、第２検出端子１９に接触するようになっている。
【００２１】
このように、第２検出端子１９は、第１検出端子１８と間隔を空けてカードリーダ１２に形成されている。第２検出端子１９は、ＳＤカード４０の挿入により、第１検出端子１８と接触する。第１検出端子１８及び第２検出端子１９は、検出部１７に接続されている。第１検出端子１８と第２検出端子１９とが接触した場合には、第１検出端子１８及び第２検出端子１９間が導通され、検出部１７は、ＳＤカード４０の挿入を検出することができる。なお、第１検出端子１８及び第２検出端子１９の形状は、図４に示すものに限らない。
【００２２】
図６及び図７は、実施形態１に係る電子機器１のカードリーダ１２における第１検出端子１８及び第２検出端子１９の動作を例示した上面図である。図６に示すように、ＳＤカード４０をカードリーダ１２のスロット１４から挿入する。ＳＤカード４０が収納部１６に収納されるまでは、第１検出端子１８と第２検出端子１９とは接触していない。
【００２３】
一方、図７に示すように、ＳＤカード４０が収納部１６に収納されると、第１検出端子１８と第２検出端子１９は接触し、導通する。これにより、検出部１７は、ＳＤカード４０の挿入を検出する。
【００２４】
図８は、実施形態１に係る電子機器１の第１検出端子１８及び第２検出端子１９を例示した断面図である。図８に示すように、第１検出端子１８及び第２検出端子１９の表面には、絶縁膜５１が形成されている場合がある。このように、第１検出端子１８及び第２検出端子１９の表面に絶縁膜５１が形成されていると、第１検出端子１８及び第２検出端子１９の間を導通させることができない。よって、スロット１４からＳＤカード４０が挿入され、第１検出端子１８及び第２検出端子１９が接触していても導通が得られない。したがって、検出部１７は、ＳＤカード４０の挿入を検出することができない。絶縁膜５１は、例えば、酸化皮膜、フラックス、メッキ用の封止剤の残渣等である。
【００２５】
図９は、実施形態１に係る電子機器１のパネル２０に設けられた接触部を例示した断面図である。図９に示すように、パネル２０には、接触部が設けられている。接触部は、例えば、パネル２０の裏面２２に設けられた突起部３０である。突起部３０は、パネル２０の動きにより、スロット１４に挿入されたＳＤカード４０のスロット１４から突出した部分に接触する。例えば、パネル２０がチルト動作した場合に、パネル２０の裏面２２は、スロット１４の近傍を通り過ぎる。そのときに、突起部３０は、ＳＤカード４０のスロット１４から突出した部分に接触する。
【００２６】
これにより、突起部３０は、ＳＤカード４０に微細振動を与え、ＳＤカード４０を摺動させる。そして、ＳＤカード４０の摺動により、突起部３０は、カードリーダ１２の端子を摺動させる。よって、第１検出端子１８及び第２検出端子１９の摺動により、絶縁膜５１を除去させることができる。このようにして、第１検出端子１８及び第２検出端子１９間の導通を得ることができる。なお、突起部３０がＳＤカード４０に与える微細振動は、ＳＤカード４０がプッシュオープンしない程度に調整される。例えば、突起部３０がＳＤカード４０に与える微細振動の振幅はカードのプッシュオープン動作となるストローク量(例えば0.8ｍｍ)より十分小さい寸法とする。また、パネル２０の動きは、スライド動作でもよい。さらに、接触部は、パネル２０の裏面に一体的に形成され、メモリカードに接触し、摺動を与えるような形状であれば、突起状の突起部３０に限らず、凹凸状、鋸刃状でもよい。
【００２７】
図１０は、実施形態１の別の例に係る電子機器１ｂのパネル２０に設けられた接触部を例示した断面図である。図１０に示すように、接触部は、複数設けられた突起部３０である。複数の突起部３０は、チルト動作を行うパネル２０に設けられてもよいし、スライド動作を行うパネル２０に設けられてもよい。
【００２８】
このように、本実施形態の電子機器１では、パネル２０に設けられた突起部３０は、パネル２０の動きにより、ＳＤカード４０のスロット１４から突出した部分に接触し、ＳＤカード４０を摺動させる。そして、ＳＤカード４０の摺動により、第１検出端子１８及び第２検出端子１９を摺動させ、絶縁膜５１を除去させる。したがって、第１検出端子１８及び第２検出端子１９間の導通を向上させることができる。
【００２９】
図１１は、実施形態１に係る電子機器１のパネル２０の動きがある場合のＳＤカード４０の検出処理を例示したフローチャート図である。検出部１７は、パネル２０の動きがある場合には、ＳＤカード４０の挿入の検出を停止してもよい。例えば、図１１のステップＳ１１に示すように、検出部１７は、ＳＤカード４０を検出する際に、パネル２０の動きがあるか判断する。パネル２０の動きがない（Ｎｏ）の場合には、ステップＳ１２に示すように、ＳＤカード４０の検出を行う。検出部１７がＳＤカード４０を検出した後、ステップＳ１３に示すように、ＳＤカード４０との通電を開始する。そして、ＳＤカード４０の検出処理を終了する。その後、カードリーダ１２は、画像情報または音楽、動画、静止画等のデータ情報の取り込み等を行う。
【００３０】
一方、図１１のステップＳ１１において、パネル２０の動きがある（Ｙｅｓ）の場合には、ステップＳ１４に示すように、ＳＤカード４０との通電を停止する。そして、ステップＳ１５に示すように、ＳＤカード４０の検出を停止する。または、ＳＤカード４０の検出信号を無視する
【００３１】
そして、ステップＳ１６に示すように、パネル２０の動きが終了したか判断する。パネル２０の動きが終了しない（Ｎｏ）の場合には、ステップＳ１６に戻り、再び判断する。一方、ステップＳ１６において、パネル２０の動きが終了した（Ｙｅｓ）の場合には、ステップＳ１２に示すように、ＳＤカード４０の検出を行う。そして、検出部１７がＳＤカード４０を検出した後、ステップＳ１３に示すように、ＳＤカード４０との通電を開始し、ＳＤカード４０の検出処理を終了する。その後、カードリーダ１２は、画像情報または音楽、動画、静止画等のデータ情報の取り込み等を行う。
【００３２】
このように、パネル２０がチルト動作またはスライド動作等を行っている場合には、ＳＤカード４０の検出を停止するように設定する。これにより、ＳＤカード４０の検出部１７の誤作動を抑制することができる。なお、パネル２０の動きがある場合のＳＤカード４０の検出フローは、図１１のフローに限らない。
【００３３】
次に、実施形態１の電子機器１の効果を説明する。
本実施形態の電子機器１では、パネル２０に設けられた接触部は、パネル２０の動きにより、ＳＤカード４０のスロット１４から突出した部分に接触し、ＳＤカード４０を摺動させている。さらに、第１検出端子１８及び第２検出端子１９を摺動させている。これにより、絶縁膜５１を除去し、第１検出端子１８及び第２検出端子１９間の導通を向上させることができる。したがって、ＳＤカード４０の検出不具合の発生を抑制することができる。
【００３４】
メモリカードの挿入及び抜去、ディスク媒体の挿入及び抜去時にパネル２０のチルト動作等が行われる。また、利用者が、パネル２０の表示部２３を見やすい角度にする場合に、パネル２０のチルト動作等が行われる。さらに、電子機器１のＯＮ・ＯＦＦ時に、本体部１０の前面１１にパネル２０が戻るような設定となっている場合に、パネル２０のチルト動作等が行われる。
【００３５】
本実施形態では、そのようなパネル２０のチルト開閉操作を利用して端子の絶縁膜５１のクリーンアップを行い、端子の導通を向上させている。よって、定期的に、端子のクリーンアップをすることができる。また、利用者が意識せずに、端子のクリーンアップをすることができるので、端子の導通を確実に向上させることができる。
【００３６】
さらに、チルト動作等により、突起部３０等の接触部がＳＤカード４０に対して接触するだけで、端子の導通を向上させることができる。よって、突起部３０以外に特別な部品を必要としない。よって、低コストで端子の導通を向上させることができる。
【００３７】
パネル２０に複数の突起部３０が設けられた場合には、１回のパネル２０の動きにより、突起部３０の数だけ、端子を摺動させることができる。よって、絶縁膜５１を除去する機会を増加させることができる。
【００３８】
また、検出部１７は、パネル２０の動きがある場合には、ＳＤカード４０の挿入の検出を停止する。よって、検出部１７の誤作動を抑制することができる。
【００３９】
（変形例）
次に、実施形態１の変形例を説明する。変形例に係る電子機器の端子は、ＳＤカード４０の端部に形成された第１接点端子４１と、カードリーダ１２に形成された第２接点端子４２とを含んでいる。
【００４０】
図１２は、実施形態１の変形例に係る電子機器１ｃのカードリーダ１２を例示した断面図である。図１３は、実施形態１の変形例に係る電子機器１ｃのカードリーダ１２に挿入されるＳＤカード４０を例示した斜視図である。図１２及び図１３に示すように、ＳＤカード４０の端部には、複数の接点端子が形成されている。例えば、９ピンの接点端子が形成されている。本変形例では、ＳＤカード４０の複数の接点端子のうちの一つの端子を第１接点端子４１として、ＳＤカード４０の挿入の検出に用いている。また、第１接点端子４１に接触する端子として、カードリーダ１２に形成された第２接点端子４２を用いている。
【００４１】
したがって、ＳＤカード４０の挿入により接触する端子は、ＳＤカード４０の端部に形成された第１接点端子４１と、カードリーダ１２に形成された第２接点端子４２を含んでいる。第２接点端子４２は、ＳＤカード４０の挿入により、第１接点端子と接触する。
【００４２】
本変形例においても、接触部、例えば、突起部３０は、パネル２０の動きにより、ＳＤカード４０のスロット１４から突出した部分に接触し、第１接点端子４１及び第２接点端子４２を摺動させる。よって、第１接点端子４１及び第２接点端子４２の摺動により、絶縁膜５１を除去し、端子をクリーンアップしている。これにより、両者間の導通を得ることができ、ＳＤカード４０の挿入を検出することができる。これ以外の構成及び効果は、実施形態１の記載に含まれている。
【００４３】
（実施形態２）
次に、実施形態２に係る電子機器を説明する。本実施形態の電子機器２は、ＳＤカードの挿入を検出する端子に電流を流して端子の導通を向上させる。図１４は、実施形態２に係る電子機器２において、ＳＤカード４０の挿入を検出する端子に電流を流して導通を向上させる方法を例示した説明図である。
【００４４】
生産工程において、ＳＤカード４０が明らかに挿入されているのにも掛からず、回路的に検出されない接触不具合の場合がある。そのような場合には、図１４に示すように、プリント基板５２の治具に配置されたカードリーダ１２に、ＳＤカード４０を挿入する。
【００４５】
そして、ＳＤカード４０の挿入を検出する端子と、検査用ランド５３を接続する。所定の電圧を有する導通テスターピン５４を、検査用ランド５３に接触させることにより、ＳＤカード４０の挿入を検出する端子に電流を流す。端子に流された電流は、端子に形成された絶縁膜５１を除去しうる電流である。例えば、絶縁破壊を起こさせるのに十分な電流が端子に流され、絶縁膜５１を破壊する。このように、絶縁膜５１を除去しうる電流は、接触部分における絶縁膜５１を除去し、端子の接触部分の電気抵抗を低下させる。これにより、端子の導通を得ることができ、ＳＤカード４０の検出不具合の発生を抑制することができる。
【００４６】
ここで、端子は、第１検出端子１８及び第２検出端子１９でもよいし、第１接点端子４１及び第２接点端子４２でもよい。また、端子の接触部分の電気抵抗を低下させる電流は、絶縁膜５１を除去することに限らない。電流は、他の要因で接触不良を起こしている場合に、接触部分の電気抵抗を低下させてもよい。
【００４７】
また、端子に電流を流して端子の導通を向上させる方法は、生産工程において以外に、電子機器２の起動時に行ってもよい。例えば、本体部１０は、電子機器２の起動時に、ＳＤカード４０の挿入を検出する端子に電流を流す。本体部１０におけるマイコン等の制御部が、起動時に端子に電流を流すように制御してもよい。端子に流れる電流は、例えば、絶縁膜５１を除去し、端子の接触部分の電気抵抗を低下させる。
【００４８】
図１５は、実施形態２に係る電子機器２の起動時におけるＳＤカード４０の検出処理を例示したフローチャート図である。図１５のステップＳ２１に示すように、電子機器２を起動させる。次に、ステップＳ２２に示すように、電子機器２の起動時に、ＳＤカード４０との通電を停止するとともに、ステップＳ２３に示すように、検出部１７は、ＳＤカード４０の検出を停止する。そして、ステップＳ２４に示すように、端子間の接触部分の電気抵抗を低下させる電流を端子に流す。これにより、絶縁膜５１を除去し、端子の導通を向上させることができる。
【００４９】
次に、ステップＳ２５に示すように、起動が終了し、所定の状態になったか判断する。所定の状態とは、起動時以外の状態であり、時間または所定の条件により設定する。起動が続き、所定の状態になっていない（Ｎｏ）の場合には、ステップＳ２５に戻り、ステップＳ２５を再び判断する。一方、ステップＳ２５において、起動が終了し、所定の状態になった（Ｙｅｓ）の場合には、ステップＳ２６に示すように、端子間に流していた端子間の接触部分の電気抵抗を低下させる電流を停止する。そして、ステップＳ２７に示すように、ＳＤカード４０の挿入を検出する。検出部１７がＳＤカード４０を検出した後、ステップＳ２８に示すように、ＳＤカード４０との通電を開始し、ＳＤカード４０の検出処理を終了する。その後、カードリーダ１２は、画像情報または音楽、動画、静止画の情報等のデータの取り込み等を行う。
【００５０】
このように、本体部１０は、起動時に、端子の接触部分の電気抵抗を低下させる電流を端子に流し、ＳＤカード４０の検出不具合の発生を抑制することができる。そして、検出部１７は、ＳＤカード４０の挿入を検出する端子に電流が流れている場合には、ＳＤカード４０の挿入の検出を停止する。このようにすることにより、ＳＤカード４０の検出不具合の発生を抑制しつつ、検出部１７の誤作動を抑制することができる。
【００５１】
なお、実施形態２の電子機器２のパネル２０に、突起部３０等の接触部が設けられていてもよい。これにより、パネル２０の動きにより、端子を摺動させて、端子の導通を向上させつつ、起動時においても、端子の導通を向上させることができる。また、実施形態２の電子機器２は、パネル２０に接触部が設けられていなくてもよい。これにより、接触部の形成工程及び材料を省き、低コスト化することができる。
【００５２】
生産工程において、導通テスターピン５４からプリント基板５２及びカードリーダ１２を加振して、端子同士を摺動させてもよい。加振する際には、共振周波数近傍の周波数でスイープさせることで、効果的に、端子同士を振動させる。これにより、絶縁膜５１を除去し、導通を向上させることもできる。
【００５３】
次に、本実施形態の効果を説明する。
本実施形態では、電子機器２の起動時に、端子の接触部分の電気抵抗を低下させる電流を端子に流している。これにより、ＳＤカード４０の検出不具合の発生を抑制することができる。
【００５４】
例えば、地図情報が記録されたＳＤカード４０は、一度挿入したら、抜き差しをあまり行わない。よって、パネル２０の動きにより端子を摺動させる頻度が低下する。このような場合には、電子機器２の起動時に端子間に電流を流すことにより、端子の導通を向上させ、端子の劣化を抑制することができる。
【００５５】
起動時に、端子間に電流を流す場合には、検出部１７は、ＳＤカード４０の挿入の検出を停止する。よって、検出部１７の誤作動を抑制することができる。その他の構成及び効果は、実施形態１及び変形例の記載に含まれている。
【００５６】
以上、実施形態１及び２を説明したが、実施形態１及び２の構成を相互に組み合わせた構成も本明細書で説明した技術的思想の範囲に含まれる。
【００５７】
また、端子の導通を向上させる方法としては、ＳＤカード４０の挿入・抜去を繰り返すことで、端子の接触部分を摺動させ、絶縁膜５１を除去する方法もある。また、ＳＤカード４０の挿入を検出する際に、ＳＤカード４０の側面にあるロック検出ボタンの位置を検出し、ロック検出ボタンがＯＮになっていることを利用してＳＤカード４０の検出の精度を高めてもよい。
【符号の説明】
【００５８】
１、１ａ、１ｂ、１ｃ、２  電子機器
１０  本体部
１１  前面
１２  カードリーダ
１３  ディスクドライバ
１４  スロット
１５  挿入口
１６  収納部
１７  検出部
１８  第１検出端子
１９  第２検出端子
２０  パネル
２１  主面
２２  裏面
２３  表示部
２４  操作部
３０  突起部
４０  ＳＤカード
４１  第１接点端子
４２  第２接点端子
５１  絶縁膜
５２  プリント基板
５３  検査用ランド
５４  導通テスターピン
【図１】
2019067643.tif 000003
【図２】
2019067643.tif 000004
【図３】
2019067643.tif 000005
【図４】
2019067643.tif 000006
【図５】
2019067643.tif 000007
【図６】
2019067643.tif 000008
【図７】
2019067643.tif 000009
【図８】
2019067643.tif 000010
【図９】
2019067643.tif 000011
【図１０】
2019067643.tif 000012
【図１１】
2019067643.tif 000013
【図１２】
2019067643.tif 000014
【図１３】
2019067643.tif 000015
【図１４】
2019067643.tif 000016
【図１５】
2019067643.tif 000017